(57)【要約】【課題】フィルムの膜幅の測定精度を安定させ、なおかつ測定時間を短縮する。【解決手段】膜幅を測定する膜幅測定方法において、膜幅より長い直線状の光路断面を有するレーザ光Ｂを、照射位置の光路断面Ｂ１がフィルムＡを幅方向に横切るように照射し、当該光路断面Ｂ１とフィルムＡの長手方向が直交する位置を通るようにフィルムＡを光路軸周りに回転させ、照射位置の光路断面Ｂ１のうちのフィルムＡによって遮光された部分の長さの最小値を算出し、当該遮光部分の長さの最小値を膜幅Ｈとする。【選択図】図１
2009216451.tif 000002
【特許請求の範囲】
【請求項１】
膜幅を測定する膜幅測定方法であって、
膜幅より長い直線状の光路断面を有するレーザ光を、照射位置の光路断面が膜を幅方向に横切るように照射し、当該光路断面と膜の長手方向が直交する位置を通るように膜を光路軸周りにレーザ光に対し相対的に回転させ、前記照射位置の光路断面のうちの前記膜によって遮光された部分の長さの最小値を算出し、当該遮光部分の長さの最小値を膜幅とすることを特徴とする、膜幅測定方法。
【請求項２】
前記膜の回転は、膜の初期位置から、９０度以下の所定角度ずつ両方向に行うことを特徴とする、請求項１に記載の膜幅測定方法。
【請求項３】
予め膜を、レーザ光の光路断面の直交方向から所定方向に回転させた初期位置に配置し、
前記膜の回転は、前記初期位置から前記所定方向の反対方向に向けて行うことを特徴とする、請求項１に記載の膜幅測定方法。
【請求項４】
膜幅を測定する膜幅測定装置であって、
膜を載置する載置部と、
膜幅より長い直線状の光路断面を有するレーザ光を、照射位置の光路断面が前記載置部の膜を幅方向に横切るように照射するレーザ光照射部と、
前記載置部の膜を光路軸周りにレーザ光に対し相対的に回転させるための回転駆動部と、
前記膜により遮光されなかった部分のレーザ光を受光するレーザ光受光部と、
前記レーザ光受光部によるレーザ光の受光結果から、前記照射位置の光路断面のうちの前記膜によって遮光された部分の長さの最小値を算出し、当該遮光部分の長さの最小値を膜幅とする演算部と、を有することを特徴とする、膜幅測定装置。
【請求項５】
前記回転駆動部による膜の回転は、膜の初期位置から、９０度以下の所定角度ずつ両方向に行うことを特徴とする、請求項４に記載の膜幅測定装置。
【請求項６】
前記載置部には、膜を載置する際の載置部の初期位置においてレーザ光の光路断面に直交するガイド線が形成されていることを特徴とする、請求項５に記載の膜幅測定装置。
【請求項７】
前記載置部には、膜を載置する際の載置部の初期位置においてレーザ光の光路断面に平行になるガイド線が形成されていることを特徴とする、請求項５又は６に記載の膜幅測定装置。
【請求項８】
前記光路断面に平行なガイド線は、幅のある帯状に形成され、レーザ光が照射される領域を含むように形成されていることを特徴とする、請求項７に記載の膜幅測定装置。
【請求項９】
前記光路断面に平行なガイド線は、前記載置部の他の部分と異なる色で形成されていることを特徴とする、請求項８に記載の膜幅測定装置。
【請求項１０】
予め膜を、レーザ光の光路断面の直交方向から所定方向に回転させた初期位置に載置し、
前記回転駆動部による膜の回転は、前記膜の初期位置から前記所定方向の反対方向に向けて行うことを特徴とする、請求項４に記載の膜幅測定装置。
【請求項１１】
前記載置部には、膜を載置する際の載置部の初期位置において前記レーザ光の光路断面の直交方向から前記所定方向に回転させた方向に向くガイド線が形成されていることを特徴とする、請求項１０に記載の膜幅測定装置。
【請求項１２】
前記載置部には、前記ガイド線に対し直交し幅のある帯状に形成され、なおかつ前記レーザ光が照射される領域を含む他のガイド線が形成されていることを特徴とする、請求項１１に記載の膜幅測定装置。
【請求項１３】
前記他のガイド線は、前記載置部の他の部分と異なる色で形成されていることを特徴とする、請求項１２に記載の膜幅測定装置。
【請求項１４】
前記載置部の膜上に重ねて当該膜を押さえる透明板をさらに有することを特徴とする、請求項４〜１３のいずれかに記載の膜幅測定装置。
【請求項１５】
互いに対向する前記レーザ光照射部と前記レーザ光受光部の間に、前記載置部が配置され、
前記載置部は、前記レーザ光が透過可能に構成されていることを特徴とする、請求項４〜１４のいずれかに記載の膜幅測定装置。
【発明の詳細な説明】
【技術分野】
【０００１】
本発明は、フィルムなどの膜の膜幅を測定する膜幅測定方法と、膜幅測定装置に関する。
【背景技術】
【０００２】
例えば電池のセパレータ、写真のフィルム、テープなどのフィルム製品の完成時には、フィルムの膜幅を測定し、フィルム製品の寸法を検査する必要がある。この膜幅の測定は、従来より例えばフィルムに光を照らしてその影の部分の寸法を測定する光透過型の測定機や、フィルムをＣＣＤカメラなどで撮像しその画像から寸法を測定する測定機を用いて行われている。
【０００３】
上述の膜幅測定機では、一般的に作業員がフィルムの幅方向の一方の端部の１点と他方の端部の２点をポイントし、それらの３点から、フィルムの長手方向に対し直交する直線を求め、その直線の長さを求めて、フィルムの膜幅を測定している。
【０００４】
【特許文献１】特開平１１−２８１３２７号公報
【特許文献２】特開２００５−３００２７１号公報
【発明の開示】
【発明が解決しようとする課題】
【０００５】
しかしながら、上記方法を用いた場合、作業員の測定機の操作により３点の測定点がポイントされ、さらにその測定点に基づいてフィルムの膜幅が算出されるため、作業員の測定機操作の熟練度等により測定精度が左右されることがある。また、作業員による測定器の操作工程が入るので、比較的測定に時間がかかる。特に多数のフィルム製品の膜幅を測定する場合には、長時間を要する。
【０００６】
本発明は、かかる点に鑑みてなされたものであり、フィルムなどの膜の膜幅の測定精度を安定させ、なおかつ測定時間を短縮することをその目的とする。
【課題を解決するための手段】
【０００７】
上記目的を達成するための本発明は、膜幅を測定する膜幅測定方法であって、膜幅より長い直線状の光路断面を有するレーザ光を、照射位置の光路断面が膜を幅方向に横切るように照射し、当該光路断面と膜の長手方向が直交する位置を通るように膜を光路軸周りにレーザ光に対し相対的に回転させ、前記照射位置の光路断面のうちの前記膜によって遮光された部分の長さの最小値を算出し、当該遮光部分の長さの最小値を膜幅とすることを特徴とする。なお、「レーザ光」は、発光時に膜幅より長い直線状の光路断面を有するカーテン状のものの他、多数の線状のレーザ光を一列に並べて、膜幅より長い光路断面を形成するものや、線状のレーザ光を走査した結果、膜幅より長い光路断面を形成するものも含まれる。
【０００８】
かかる膜幅測定方法の測定原理は、レーザ光の直線状の光路断面と膜の長手方向が直交して、レーザ光の膜による遮光部分の長さが最小値になったときに、その最小値が正しい膜幅になることにある。
本発明によれば、直線状の光路断面を有するレーザ光を膜に照射した状態で、膜を回転させ、その際の膜によって遮光された部分の長さの最小値を算出するので、レーザ光の直線状の光路断面と膜の長手方向が直交するときの正しい膜幅を検出できる。したがって、精度の高い膜幅測定を行うことができる。また、従来のように作業員が測定機を操作して測定点をポイントするようなことがないので、測定精度が安定し、測定時間を短縮できる。
【０００９】
前記膜の回転は、膜の初期位置から、９０度以下の所定角度ずつ両方向に行うようにしてもよい。かかる場合、レーザ光に対する膜の回転を両方向に行うので、膜の初期位置がいずれの方向にずれていたとしても、レーザ光の光路断面と膜の長手方向が直交したときの正しい膜幅をより確実に検出できる。換言すると、例えば作業員等による膜の初期位置の設定が簡単になり、この点からも測定精度の安定や測定時間の短縮が図られる。さらに、回転角度が９０度以下の所定角度に設定されるので、余計な回転をなくし、測定の迅速化を図ることができる。
【００１０】
また、予め膜を、レーザ光の光路断面の直交方向から所定方向に回転させた初期位置に配置し、前記膜の回転は、前記初期位置から前記所定方向の反対方向に向けて行うようにしてもよい。かかる場合、膜幅測定時の膜の回転が一方向で足りるので、測定時間をさらに短縮できる。
【００１１】
別の観点による本発明は、膜幅を測定する膜幅測定装置であって、膜を載置する載置部と、膜幅より長い直線状の光路断面を有するレーザ光を、照射位置の光路断面が前記載置部の膜を幅方向に横切るように照射するレーザ光照射部と、前記載置部の膜を光路軸周りにレーザ光に対し相対的に回転させるための回転駆動部と、前記膜により遮光されなかった部分のレーザ光を受光するレーザ光受光部と、前記レーザ光受光部によるレーザ光の受光結果から、前記照射位置の光路断面のうちの前記膜によって遮光された部分の長さの最小値を算出し、当該遮光部分の長さの最小値を膜幅とする演算部と、を有することを特徴とする。
【００１２】
前記回転駆動部による膜の回転は、膜の初期位置から、９０度以下の所定角度ずつ両方向に行うようにしてもよい。
【００１３】
前記載置部には、膜を載置する際の載置部の初期位置においてレーザ光の光路断面に直交するガイド線が形成されていてもよい。かかる場合、ガイド線を頼りに膜を載置できるので、膜の載置位置が光路断面に直交する方向から大幅にずれることがなく、膜を載置する作業が簡単になる。この結果、膜の載置に要する時間や、膜を回転させる時間を短縮でき、測定時間を短縮できる。
【００１４】
前記載置部には、膜を載置する際の載置部の初期位置においてレーザ光の光路断面に平行になるガイド線が形成されていてもよい。かかる場合、レーザ光の光路断面方向が確認できるので、これを頼りに膜を載置することができ、膜を載置する作業が簡単になる。この結果、膜の載置に要する時間や、膜を回転させる時間を短縮でき、測定時間を短縮できる。
【００１５】
前記光路断面に平行なガイド線は、幅のある帯状に形成され、レーザ光が照射される領域を含むように形成されていてもよい。この場合、レーザ光の照射領域を確認しながら、膜を適正な位置に載置できる。
【００１６】
前記光路断面に平行なガイド線は、前記載置部の他の部分と異なる色で形成されていてもよい。この場合、ガイド線が視覚的に分りやすく、より簡単かつ適正に膜を載置できる。
【００１７】
予め膜を、レーザ光の光路断面の直交方向から所定方向に回転させた初期位置に載置し、前記回転駆動部による膜の回転は、前記膜の初期位置から前記所定方向の反対方向に向けて行うようにしてもよい。
【００１８】
前記載置部には、膜を載置する際の載置部の初期位置において前記レーザ光の光路断面の直交方向から前記所定方向に回転させた方向に向くガイド線が形成されていてもよい。
【００１９】
前記載置部には、前記ガイド線に直交し幅のある帯状に形成され、なおかつ前記レーザ光が照射される領域を含む他のガイド線が形成されていてもよい。
【００２０】
前記他のガイド線は、前記載置部の他の部分と異なる色で形成されていてもよい。
【００２１】
上記膜幅測定装置は、前記載置部の膜上に重ねて当該膜を押さえる透明板をさらに有するようにしてもよい。かかる場合、フィルムなどの薄膜を回転させた際に、膜の位置がずれることがなく、膜幅の測定を適正に行うことができる。
【００２２】
互いに対向する前記レーザ光照射部と前記レーザ光受光部の間に、前記載置部が配置され、前記載置部は、前記レーザ光が透過可能に構成されていてもよい。
【発明の効果】
【００２３】
本発明によれば、膜幅の測定精度を安定させ、なおかつ測定時間を短縮できる。
【発明を実施するための最良の形態】
【００２４】
以下、図面を参照して、本発明の好ましい実施の形態について説明する。図１は、本実施の形態に係る膜幅測定装置１の構成の概略を示す説明図である。
【００２５】
膜幅測定装置１は、例えば測定対象であるフィルムＡを載置する載置部としての載置台１０と、フィルムＡにレーザ光Ｂを照射するレーザ光照射部１１と、当該レーザ光照射部１１から発光されたレーザ光Ｂを受光するレーザ光受光部１２と、載置台１０を支持し回転させる回転駆動部としての回転駆動台１３と、演算部としてのコンピュータ１４を有している。
【００２６】
例えば載置台１０と、レーザ光照射部１１と、レーザ光受光部１２及び回転駆動台１３は、鉛直方向に立設された支柱２０の側面に取り付けられている。レーザ光照射部１１とレーザ光受光部１２は、上下方向に互いに対向し、それらの間に回転駆動台１３が配置されている。載置台１０は、回転駆動台１３上に取り付けられている。
【００２７】
レーザ光照射部１１は、下面に例えば一方向（図１のＸ方向）に長いスリット状の発光口１１ａを有している。これにより、レーザ照射部１１は、光路断面が直線のレーザ光Ｂを下方に向けて発光できる。また、レーザ光照射部１１の発光口１１ａは、フィルムＡの膜幅Ｈより長く形成されており、照射位置における光路断面Ｂ１がフィルムＡを幅方向に横切る（光路断面Ｂ１がフィルムＡの幅方向の一側部の外方から他側部の外方まで延びる）ようにレーザ光Ｂを照射できる。なお、レーザ光照射部１１の照射速度（単位時間当たりの照射回数）や照射タイミングは、適宜設定できる。
【００２８】
載置台１０は、例えば方形の板状に形成されている。載置台１０は、例えば全体が透明に形成されている。載置台１０の表面には、例えば図２に示すように長手方向に向けた複数本のガイド線１０ａが形成されている。また、載置台１０の表面の中央部には、ガイド線１０ａと直交し、他の部分と色が異なるレーザ照射領域線１０ｂ（光路断面に平行なガイド線）が形成されている。レーザ照射領域線１０ｂは、幅のある帯状に形成され、レーザ光Ｂの照射領域を含んでいる。本実施の形態では、フィルムＡが載置される際の載置台１０の初期位置は、ガイド線１０ａがレーザ光Ｂの光路断面Ｂ１と直交（Ｙ方向）し、レーザ照射領域線１０ｂが光路断面Ｂ１に平行（Ｘ方向）になるように設定されている。
【００２９】
図１に示す回転駆動台１３は、モータ等の駆動源を備え、載置台１０を鉛直軸周りに回転できる。したがって、回転駆動台１３は、載置台１０上のフィルムＡをレーザ光Ｂの光路軸周りに回転させることができる。回転駆動台１３による載置台１０の回転速度、回転角度及び回転方向等は、適宜設定できる。また、例えば回転駆動台１３の中央部付近には、図３に示すようにレーザ光Ｂが通過する貫通孔１３ａが形成されている。
【００３０】
レーザ光受光部１２は、図１に示すように上面に例えばＸ方向に長いスリット状の受光口１２ｂを有し、載置台１０上のフィルムＡに遮光されなかった部分のレーザ光Ｂを受光できる。つまり、図３に示すようにレーザ光Ｂは、光路断面Ｂ１の中央部がフィルムＡにより遮光されるため、レーザ光受光部１２は、フィルムＡの両側を通過したレーザ光Ｂを受光できる。
【００３１】
レーザ光受光部１２により受光されたレーザ光Ｂの情報は、コンピュータ１４に出力できる。コンピュータ１４は、レーザ光受光部１２によるレーザ光Ｂの受光結果から、  光路断面Ｂ１のうちのフィルムＡによって遮光された部分の長さ（以下、遮光長）Ｌを算出し、レーザ光Ｂの照射毎に複数得られた遮光長Ｌの中から最小値Ｌｍを算出し、当該最小値ＬｍをフィルムＡの膜幅Ｈとする。
【００３２】
なお、コンピュータ１４は、内部にＣＰＵ，ＲＯＭ，ＲＡＭ等を備え、例えばＣＰＵは、測定プログラムに従って所望の演算を実行して、遮光長Ｌやその最小値Ｌｍの算出など、種々の処理を行う。ＲＯＭは、ＣＰＵで処理する測定プログラムや受光データを記憶する。ＲＡＭは、主として測定処理のための各種作業領域として使用される。
【００３３】
例えば支柱２０の側部には、スイッチ２１が設けられており、膜幅測定装置１の起動や停止は、このスイッチ２１により行うことができる。
【００３４】
次に、以上のように構成された膜幅測定装置１を用いた膜幅測定方法について説明する。先ず、図１に示すように測定対象であるフィルムＡが載置台１０上に載置される。このとき、図２に示すように載置台１０のガイド線１０ａがレーザ光Ｂの光路断面Ｂ１の直交方向（Ｙ方向）に向いているので、作業員は、ガイド線１０ａに沿ってフィルムＡを載置できる。また、レーザ照射領域線１０ｂは、光路断面Ｂ１と平行で、なおかつレーザ光Ｂの照射領域を示しているので、これもフィルムＡの載置位置のガイドとなる。こうして、フィルムＡは、照射位置における光路断面Ｂ１がフィルムＡを幅方向に横切り、なおかつフィルムＡの長手方向が光路断面Ｂ１に対しおよそ直交する位置（初期位置）に載置される。
【００３５】
次にレーザ光照射部１１によるレーザ光Ｂの照射が開始される。このレーザ光Ｂの照射は、短時間の発光を短周期で繰り返して行われる。そして、レーザ光Ｂが照射された状態で、回転駆動台１３により載置台１０上のフィルムＡが回転される。フィルムＡは、例えば図４に示すように先ず初期位置Ｃ１から時計周り方向に９０度以下の所定角度θ１（例えば１０度）回転され、その後初期位置Ｃ１に戻され、その後反時計回り方向に同じ所定角度θ１回転され、その後初期位置Ｃ１に戻される。このように、フィルムＡは、光路断面Ｂ１とフィルムＡの長手方向が直交する位置を必ず通るように、初期位置Ｃ１から両方向に所定角度θ１ずつ回転される。このときのフィルムＡの回転速度は、例えば１度／秒以上、１０度／秒以下で行われる。また、レーザ光Ｂの照射は、フィルムＡの１度回転あたりに例えば５０回以上、６００回以下の回数で行われる。
【００３６】
フィルムＡに遮光されなかったレーザ光Ｂは、レーザ光受光部１１で受光される。この受光情報は、レーザ光Ｂの照射毎に逐次コンピュータ１４に送られる。コンピュータ１４では、レーザ光Ｂの照射毎に、レーザ光Ｂの光路断面Ｂ１のうちのフィルムＡにより遮光された遮光長Ｌが算出される。そして、フィルムＡの回転が終了し、レーザ光Ｂの照射が終了したときに、遮光長Ｌの最小値Ｌｍが算出され、この最小値ＬｍをフィルムＡの幅Ｈとする。図５に示すように光路断面Ｂ１とフィルムＡが直交したときに、遮光長Ｌが最小になり、その最小値がフィルムＡの膜幅となるので、かかる膜幅測定により、精度の高い膜幅Ｈを測定できる。
【００３７】
以上の実施の形態によれば、直線状の光路断面Ｂ１を有するレーザ光ＢをフィルムＡに照射した状態で、フィルムＡを回転させ、その際のフィルムＡによって遮光された遮光長Ｌの最小値Ｌｍを算出して、フィルムＡの正確な膜幅Ｈを測定している。かかる場合、従来のように作業員が測定機を操作して測定点をポイントするようなことがないので、例えば膜幅測定が自動化され、測定精度が安定し、測定時間を短縮できる。
【００３８】
フィルムＡの回転は、フィルムＡの初期位置から、９０度以下の所定角度θ１ずつ両方向に行うようにしているので、フィルムＡの初期位置Ｃ１がいずれの方向にずれていたとしても、光路断面Ｂ１とフィルムＡの長手方向が直交したときの正しい膜幅Ｈをより確実に検出できる。換言すると、例えば作業員等によるフィルムＡの初期位置の設定が簡単になり、この点からも測定精度の安定や測定時間の短縮が図られる。さらに、回転角度が９０度以下の所定角度θ１に設定されるので、余計な回転をなくし、測定の迅速化を図ることができる。
【００３９】
載置台１０には、フィルムＡを載置する際の載置台１０の初期位置においてレーザ光Ｂの光路断面Ｂ１に直交するガイド線１０ａが形成されているので、ガイド線１０ａを頼りにフィルムＡを載置できる。このため、フィルムＡの載置位置が光路断面Ｂ１に直交する方向から大幅にずれることがなく、フィルムＡを載置する作業が簡単になる。この結果、フィルムＡの載置に要する時間や、フィルムＡを回転させる時間を短縮でき、測定時間を短縮できる。
【００４０】
載置台１０には、載置台１０の初期位置においてレーザ光Ｂの光路断面Ｂ１に平行になるレーザ照射領域線１０ｂが形成されている。このため、光路断面Ｂ１の方向が把握でき、これを頼りにフィルムＡを載置することができる。この結果、フィルムＡを載置する作業が簡単になり、フィルムＡの載置に要する時間や、フィルムＡを回転させる時間を短縮でき、測定時間を短縮できる。
【００４１】
レーザ照射領域線１０ｂは、幅のある帯状に形成され、レーザ光Ｂが照射される領域を含むように形成されていているので、レーザ光Ｂの照射領域を確認しながら、フィルムＡを適正な位置に載置できる。
【００４２】
また、レーザ照射領域線１０ｂは、載置台１０の他の部分と異なる色で形成されているので、視覚的に分りやすく、より簡単かつ適正にフィルムＡを載置できる。
【００４３】
また、互いに対向するレーザ光照射部１１とレーザ光受光部１２の間に、載置台１０が配置され、載置台１０は、レーザ光Ｂが透過可能に構成されているので、レーザ光受光部１２におけるレーザ光Ｂの受光を好適に行うことができる。
【００４４】
以上の実施の形態では、フィルムＡの回転は、フィルムＡの初期位置Ｃ１から、所定角度θ１ずつの両方向に行うようにしていたが、予めフィルムＡを、レーザ光Ｂの光路断面Ｂ１の直交方向から所定方向に回転させた初期位置に載置し、回転駆動台１３によるフィルムＡの回転は、その初期位置から当該所定方向の反対方向に向けて行うようにしてもよい。
【００４５】
かかる場合、上記載置台１０は、フィルムＡが載置される際の初期位置において、図６に示すように光路断面Ｂ１の直交方向に対し所定方向の時計周り方向Ｒ１に予め回転されている。載置台１０は、例えば９０度以下の所定角度θ２（例えば１０度）回転されている。これにより、載置台１０には、フィルムＡを載置する際の初期位置において光路断面Ｂ１の直交方向から所定方向Ｒに回転させた方向に向くガイド線１０ａが形成されていることになる。また、載置台１０には、ガイド線１０ａに直交する他のガイド線としてのレーザ照射領域線１０ｂが形成されていることになる。
【００４６】
そして、フィルムＡの膜幅測定時には、先ずフィルムＡが載置台１０上に載置される。このとき、ガイド線１０ａが光路断面Ｂ１の直角方向から時計周り方向Ｒ１に回転させた方向に向いているので、作業員は、そのガイド線１０ａに沿ってフィルムＡを載置できる。これにより、フィルムＡは、光路断面Ｂ１の直交方向から時計周り方向Ｒ１側にずらされた初期位置Ｃ２に載置される。
【００４７】
次に、レーザ光Ｂの照射が開始される。レーザ光Ｂが照射された状態で、回転駆動台１３によりフィルムＡが回転される。このとき、図７に示すようにフィルムＡは、例えば初期位置Ｃ２から反時計回り方向Ｒ２に少なくとも所定角度θ２以上回転される。これにより、光路断面ＢとフィルムＡの長手方向が直交する位置を通るように、フィルムＡが回転される。
【００４８】
このとき、フィルムＡに遮光されなかった部分のレーザ光Ｂは、レーザ光受光部１１で受光され、その情報が逐次コンピュータ１４に送られる。コンピュータ１４では、レーザ光Ｂの照射毎に、レーザ光Ｂの光路断面Ｂ１のうちのフィルムＡにより遮光された遮光長Ｌが算出される。そして、フィルムＡの回転が終了し、レーザ光Ｂの照射が終了したときに、遮光長Ｌの最小値Ｌｍが算出され、その最小値ＬｍをフィルムＡの膜幅Ｈとする。
【００４９】
かかる例によれば、フィルムＡの回転を一方向に行うだけなので、より測定時間を短縮できる。また、予めフィルムＡを時計周り方向Ｒ１に回転させておき、測定時に反時計周り方向Ｒ２に回転させるので、光路断面Ｂ１とフィルムＡの方向が直交するときの正しい膜幅Ｈを確実に検出できる。
【００５０】
以上の実施の形態で記載した膜幅測定装置１は、図８に示すようにフィルムＡ上に重ねて当該フィルムＡを押さえる透明板３０をさらに有してもよい。この透明板３０は、例えばピン３１により載置台１０に留めることができる。かかる場合、フィルムＡを回転させても、載置台１０上のフィルムＡの位置がずれることがなく、膜幅Ｈの測定を適正に行うことができる。
【００５１】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【００５２】
例えば以上の実施の形態では、フィルムＡを回転させていたが、レーザ光Ｂ側を回転させてもよい。また、以上の実施の形態では、レーザ光Ｂが、発光時に膜幅Ｈより長い直線状の光路断面Ｂ１を有するカーテン状のものであったが、レーザ光Ｂは、多数の細い線状のレーザ光を一列に並べて、膜幅Ｈより長い光路断面Ｂ１を形成するものや、細い線状のレーザ光Ｂを走査した結果、膜幅Ｈより長い光路断面Ｂ１を形成するものであってもよい。また、以上の実施の形態は、測定対象がフィルムＡの場合の例であったが、他の膜の膜幅測定にも、本発明は適用できる。
【図面の簡単な説明】
【００５３】
【図１】膜幅測定装置の構成の概略を示す説明図である。
【図２】初期位置における載置台の平面図である。
【図３】膜幅測定装置の構成を示す説明図である。
【図４】フィルムの回転方向を示す説明図である。
【図５】レーザ光の光路断面とフィルムが直交した状態を示す説明図である。
【図６】予め回転させた初期位置における載置台の平面図である。
【図７】フィルムの回転方向を示す説明図である。
【図８】透明板を取り付けた載置台を示す説明図である。
【符号の説明】
【００５４】
１  膜幅測定装置
１０  載置台
１０ａ  ガイド線
１０ｂ  レーザ照射領域線
１１  レーザ光照射部
１２  レーザ光受光部
１３  回転駆動台
１４  コンピュータ
Ａ  フィルム
Ｂ  レーザ光
Ｂ１  光路断面
Ｃ１、Ｃ２  初期位置
Ｌ  遮光長
Ｌｍ  最小値
Ｈ  膜幅
【図１】
2009216451.tif 000003
【図２】
2009216451.tif 000004
【図３】
2009216451.tif 000005
【図４】
2009216451.tif 000006
【図５】
2009216451.tif 000007
【図６】
2009216451.tif 000008
【図７】
2009216451.tif 000009
【図８】
2009216451.tif 000010